(57)【要約】【課題】金属や樹脂など様々な材料で成形可能であり、且つ、骨材が漏斗の直管部で詰まったとしても容易に落下させることのできる、骨材充填用の漏斗及び押出棒を提供する。【解決手段】漏斗１０は、漏斗部１１と、漏斗部１１の下端からさらに下方に延びた直管部１２と、直管部の軸に垂直な方向に突出するハンドル１３を備え、直管部１２の軸に垂直な方向における断面が不連続となるように、直管部１２の外周面に、直管部１２の軸に平行な第１スリットＳ１が形成されており、押出棒２０は、漏斗１０の直管部１２の内径よりも小さい外径を有するスティック部２１と、スティック部２１の延長上に形成された摺動軸２２と、摺動軸２２の軸方向に摺動可能なハンマー部２３と、ハンマー部２３の摺動範囲を規制する前側ストッパー２４及び後側ストッパー２５を備える。【選択図】図１
2018102525.tif 000002
【特許請求の範囲】
【請求項１】
上方に大径開口を有し、下方に行くに従ってその径が小さくなる漏斗部と、前記漏斗部の下端開口からさらに下方に延びた直管部とを備え、
前記直管部の軸に垂直な方向における前記直管部の断面が不連続となるように、前記直管部の外周面に、前記直管部の軸に平行な少なくとも１本の第１スリットが形成されていることを特徴とする骨材充填用の漏斗。
【請求項２】
前記直管部の軸に垂直な方向における前記漏斗部の断面が不連続となるように、前記漏斗部の外周面に、前記直管部の軸に平行な第２スリットが形成されていることを特徴とする請求項１に記載の骨材充填用の漏斗。
【請求項３】
前記漏斗部は、前記直管部の軸を中心として、前記直管部に向かって徐々に開口面積が小さくなる骨材注入部と、補充用の予備骨材収納部を有し、前記骨材注入部と前記予備骨材収納部との間に仕切りが設けられていることを特徴とする請求項１又は請求項２に記載の骨材充填用の漏斗。
【請求項４】
前記直管部の軸に平行な第１スリット及び前記漏斗部の第２スリットは、前記直管部の軸に対して対称に２本形成されており、前記漏斗部及び前記直管部は、２本の第１スリット及び第２スリットによって２分割されていることを特徴とする請求項２又は請求項２に従属する請求項３に記載の骨材充填用の漏斗。
【請求項５】
２分割された前記直管部は弾性部材によって結合されていることを特徴とする請求項４に記載の骨材充填用の漏斗。
【請求項６】
この押出棒と対になって使用される漏斗の直管部の内径よりも小さい外径を有し、前記直管部の長さよりも長いスティック部と、
前記スティック部と同軸で、前記スティック部の延長上に形成された摺動軸と、
前記摺動軸の外径よりも太い内径及び該内径よりも太い外径を有し、前記摺動軸の軸方向に摺動可能なハンマー部と、
前記スティック部と前記摺動軸との接続部に設けられ、前記ハンマー部の摺動範囲を規制する前側ストッパーと、
前記摺動軸の前記接続部とは反対側の端部に設けられ、前記ハンマー部の摺動範囲を規制する後側ストッパーと、
を備えたことを特徴とする骨材充填用の押出棒。
【請求項７】
前記スティック部の先端は凹面であることを特徴とする請求項６に記載の骨材充填用の押出棒。
【発明の詳細な説明】
【技術分野】
【０００１】
本発明は、粉状又は顆粒状の骨材や移植骨を患部などに充填するための骨材充填用の漏斗及び押出棒に関する。
【背景技術】
【０００２】
けがや病気などの疾患により骨に欠損が生じたときの治療法として、欠損した骨を修復するためにＨＡ（ハイドロキシアパタイト）やβ−ＴＣＰ（β−リン酸三カルシウム）などの粉末状又は顆粒状の人工骨材や移植骨（患者自身の骨や他人の骨）を患部に充填することが行われている。
【０００３】
このような粉末状又は顆粒状の骨材や移植骨（以下「骨材」と称する）を患部に充填するために、例えばステンレス鋼等の金属製やＡＢＳなどの樹脂製の骨材充填用具が用いられている。この骨材充填用具は、図４に示すように、漏斗６０と押出棒７０で構成されている。漏斗６０は、骨材Ａを挿入しやすくするために、上方に大径開口６１ａを有し、下方に行くに従ってその径が小さくなる漏斗部６１と、漏斗部６１の下端開口６１ｂからさらに下方に延びた直管部６２と、直管部６２からその軸に垂直な方向に突出するように設けられたハンドル６３を備えている。また、押出棒７０は、漏斗６０の直管部６２の内径よりも小さい外径を有し及び直管部６２の長さよりも長いスティック部７１と、スティック部７１と同軸で、スティック部７１の外径よりも太い外径を有するハンドル部７２を備えている。
【０００４】
この骨材充填用具の使用に際し、ユーザーは、一方の手で漏斗６０のハンドル６３を保持し、他方の手で瓶などに入った骨材Ａを漏斗部６１の開口６１ａから漏斗部６１内に注入する。粉末状又は顆粒状の物質は、漏斗部６１に注入した場合に、その出口である下端開口６１ｂのところにブリッジＢを形成し、それ以上落下しないことがある。そのため、漏斗部６１に注入した骨材ＡがブリッジＢを形成して落下が止まると、ユーザーは押出棒７０を使ってブリッジＢを崩し、骨材を直管部６２に落下させる。ＨＡ製やβ−ＴＣＰ製の人工骨は硬く、表面に凹凸があり、且つ、凹凸部の角が尖っているため、直管部６２の内部で、さらにブリッジＣを形成して詰まることがある。そのような場合にも、押出棒７０のスティック部７１を漏斗６０の直管部６２に差し込み、ブリッジＣを崩して骨材を患部に充填している。
【０００５】
ところが、漏斗６０は、上記のようにステンレス鋼などの金属製又はＡＢＳ等の樹脂製であり、その軸に垂直な方向の断面が円形であるため、変形しにくく、骨材のブリッジＢ又はＣを崩すには、押出棒７０を何回も上下動させて、骨材Ａの凹凸部の角を破壊させなければならす、作業性が非常に低い。この漏斗６０の直管部６２で生じた骨材Ａのブリッジを崩しやすくするため、特許文献１では、漏斗６０の材質を樹脂とすると共に、図５（ａ）に示すように、直管部６２の外壁６２ｄの形状が、巨視的には円筒状であるが、微視的には外周面６２ａ及び内周面６２ｂにそれぞれ直管部６２の中心軸と平行な筋状となるように、直管部６２の中心軸に垂直な断面を凹凸形状６２ｃとしている。そして、直管部６２の内部で骨材が詰まった場合に、図２（ｂ）に示すように、直管部６２の外壁６２ｄを指などで加圧し、直管部６２の断面形状を変形させて、詰まった骨材Ａを落下させる。
【先行技術文献】
【特許文献】
【０００６】
【特許文献１】特開２０１５−０２９８９４号公報
【発明の概要】
【発明が解決しようとする課題】
【０００７】
上記特許文献１に記載された漏斗６０では、樹脂を材料とし、さらに、直管部６２の外壁６２ｄを加圧変形させたときに、変形量が大きくなるように形成されているため、直管部６２の内部に骨材が詰まった場合でも、比較的容易に詰まった骨材を落下させることができる。ところが、ＨＡ製やβ−ＴＣＰ製の人工骨は硬く、表面に凹凸があり、且つ、凹凸部の角が尖っているため、この凹凸部の角によって直管部６２の内周面６２ｂが削られてしまい、樹脂片が骨材と一緒に患部に充填されてしまう虞がある。また、骨材の粒子の大きさや硬さ、樹脂の材質や厚みなどによっては、漏斗６０の直管部６２の外壁６２ｄが破れてしまう虞もある。さらに、漏斗６０の材料が樹脂に限定されてしまう。
【０００８】
本発明は、上記従来例の問題を解決するためになされたものであり、金属や樹脂を含む様々な材料で成形可能であり、且つ、骨材が漏斗の直管部で詰まったとしても比較的容易に落下させることのできる、骨材充填用の漏斗及び押出棒を提供することを目的とする。
【課題を解決するための手段】
【０００９】
上記目的を達成するために、本発明に係る骨材充填用の漏斗は、上方に大径開口を有し、下方に行くに従ってその径が小さくなる漏斗部と、前記漏斗部の下端開口からさらに下方に延びた直管部とを備え、前記直管部の軸に垂直な方向における前記直管部の断面が不連続となるように、前記直管部の外周面に、前記直管部の軸に平行な少なくとも１本の第１スリットが形成されていることを特徴とする。
【００１０】
また、前記直管部の軸に垂直な方向における前記漏斗部の断面が不連続となるように、前記漏斗部の外周面に、前記直管部の軸に平行な第２スリットが形成されていてもよい。
【００１１】
また、前記漏斗部は、前記直管部の軸を中心として、前記直管部に向かって徐々に開口面積が小さくなる骨材注入部と、補充用の予備骨材収納部を有し、前記骨材注入部と前記予備骨材収納部との間に仕切りが設けられていてもよい。
【００１２】
または、前記直管部の軸に平行な第１スリット及び前記漏斗部の第２スリットは、前記直管部の軸に対して対称に２本形成されており、前記漏斗部及び前記直管部は、２本の第１スリット及び第２スリットによって２分割されていてもよい。
【００１３】
また、２分割された前記直管部は弾性部材によって結合されていてもよい。
【００１４】
また、本発明に係る骨材充填用の押出棒は、この押出棒と対になって使用される漏斗の直管部の内径よりも小さい外径を有し、前記直管部の長さよりも長いスティック部と、前記スティック部と同軸で、前記スティック部の延長上に形成された摺動軸と、前記摺動軸の外径よりも太い内径及び該内径よりも太い外径を有し、前記摺動軸の軸方向に摺動可能なハンマー部と、前記スティック部と前記摺動軸との接続部に設けられ、前記ハンマー部の摺動範囲を規制する前側ストッパーと、前記摺動軸の前記接続部とは反対側の端部に設けられ、前記ハンマー部の摺動範囲を規制する後側ストッパーと、を備えたことを特徴とする。
【００１５】
前記スティック部の先端は凹面であってもよい。
【発明の効果】
【００１６】
上記構成によれば、漏斗を構成する、少なくとも、直管部の軸に垂直な方向における直管部の断面が不連続となるように、直管部の外周面に、直管部の軸に平行なスリットが形成されているので、例えば円形などの直管部の断面が連続している従来のものと比較して、機械的な強度が低くなっている。そのため、直管部の内部で骨材が詰まったとしても、詰まった骨材を上から押出棒で突くことにより、骨材がスリット部分から直管部を両側に押し広げ、直管部が変形しやすくなる。そのため、漏斗の材料がステンレス鋼などの固い材料であっても、直管部の内部で詰まった骨材を簡単に直管部の下方に落下させることができる。
【００１７】
また、押出棒は、ハンドル部を兼ねたハンマー部が摺動軸に沿って上下方向に摺動可能であるので、押出棒の全体を上下動させることなく、スティック部の先端を詰まった骨材に押し当てたまま、ハンマー部を動軸に沿って上下動させるだけで、スティック部に衝撃を加えることができる。そして、スティック部が上下動しないので、スティック部の先端と接触している骨材にハンマー部による打撃力を確実に伝達することができる。
【図面の簡単な説明】
【００１８】
【図１】本発明の一実施形態に係る骨材充填用の漏斗及び押出棒の第１構成例を示す斜視図。
【図２】骨材充填用の漏斗及び押出棒の第２構成例を示す斜視図。
【図３】骨材充填用の漏斗及び押出棒の第３構成例を示す斜視図。
【図４】従来の骨材充填用の漏斗及び押出棒の構成を示す斜視図。
【図５】特許文献１に記載された従来の漏斗の直管部の構成を示す断面図。
【発明を実施するための形態】
【００１９】
本発明の一実施形態に係る骨材充填用の漏斗及び押出棒（骨材充填用具）の第１構成例について、図１を参照しつつ説明する。図１に示すように、この第１構成例に係る漏斗１０は、最もシンプルな構造を有しており、例えば図４に示す従来の骨材充填用の漏斗６０に追加工を施して製造することができる。具体的には、漏斗１０は、上方に大径開口１１ａを有し、下方に行くに従ってその径が小さくなる漏斗部（骨材注入部）１１と、漏斗部１１の下端開口１１ｂからさらに下方に延びた直管部１２と、直管部１２からその軸に垂直な方向に突出するように設けられたハンドル１３を備え、直管部１２の軸に垂直な方向における直管部１２の断面が不連続となるように、直管部１２の外周面に、直管部１２の軸に平行な第１スリットＳ１が形成されている。また、直管部１２の軸に垂直な方向における漏斗部１１の断面が不連続となるように、漏斗部１１の外周面に、直管部１２の軸に平行な第２スリットＳ２が形成されている。
【００２０】
また、本実施形態に係る骨材充填用の押出棒２０は、この押出棒２０と対になって使用される漏斗１０の直管部１２の内径よりも小さい外径及び直管部１２の長さよりも長いスティック部２１と、スティック部２１と同軸で、スティック部２１の延長上に形成された摺動軸２２と、摺動軸２２の外径よりも太い内径及び該内径よりも太い外径を有し、摺動軸２２の軸方向に摺動可能なハンマー部２３と、スティック部２１と摺動軸２２との接続部に設けられ、ハンマー部２３の摺動範囲を規制する前側ストッパー２４と、摺動軸２２の前側ストッパー２４とは反対側の端部に設けられ、ハンマー部２３の摺動範囲を規制する後側ストッパー２５を備えている。スティック部２１の先端は、半球状等の凸面であってもよいし、あるいは、湾曲面などの凹面であってもよい。一例として、ハンマー部２３の外径は、例えばφ２０ｍｍ、長さ３０ｍｍ、化合範囲は５０ｍｍ程度である。
【００２１】
漏斗１０は、第１スリットＳ１及び第２スリットＳ２により、直管部１２の軸に垂直な断面の形状が不連続であるため、スリットのない従来の漏斗６０に比べて機械的な強度が低くなっている。そのため、直管部１２の内部で骨材が詰まったとしても、詰まった骨材を上から押出棒２０で突くことにより、骨材が第１スリット部分Ｓ１から直管部１２を両側に押し広げ、直管部１２が変形しやすくなる。そのため、漏斗１０の材料がステンレス鋼などの固い材料であっても、直管部１２の内部で詰まった骨材を簡単に直管部１２の下方に落下させることができる。
【００２２】
また、押出棒２０は、ハンドル部を兼ねたハンマー部２３が摺動軸２２に沿って上下方向に摺動可能であるので、押出棒２０の全体を上下動させることなく、スティック部２１の先端を詰まった骨材に押し当てたまま、ハンマー部２３を摺動軸２２に沿って上下動させて前側ストッパー２４に衝突させるだけで、スティック部２１に衝撃を加えることができる。そして、スティック部２１が上下動しないので、スティック部２１の先端と接触している骨材にハンマー部２３による打撃力を確実に伝達することができる。
【００２３】
なお、漏斗１０に関しては、直管部１２に少なくとも１つの第１スリットＳ１が形成されていればよく、漏斗部１１の第２スリットＳ２は形成されていなくてもよい。また、直管部１２に形成される第１スリットＳ１の数は１本に限定されず、２本以上であってもよい。
【００２４】
図２は、本実施形態に係る漏斗１０の第２構成例を示す。図２からわかるように、この第２構成例では、漏斗部１１は、直管部１２の軸を中心として、直管部１２に向かって徐々に開口面積が小さくなる骨材注入部１４と、直管部１２の軸に対して第２スリットＳ２とは反対側に、補充用の骨材を収納しておくための予備骨材収納部１５を有し、骨材注入部１４と予備骨材収納部１５との間に、予備骨材収納部１５に収納された骨材が骨材注入部１４に落下しないようにするための仕切り１６が設けられている。このように、予備骨材収納部１５を設けることによって、少量ずつ骨材を骨材注入部１４に注入することができ、欠損が生じた患部に適量の骨材を注入することができる。なお、この第２構成例においても、漏斗部１１の第２スリットＳ２は形成されていなくてもよい。
【００２５】
図３は、本実施形態に係る漏斗１０の第２構成例を示す。図３からわかるように、この第３構成例では、漏斗１０の全体が、直管部１２の軸を通る１つの面において２分割されており、結果的に、分割面が直管部の軸に対して対称に配置された２本の第１スリットＳ１及び第２スリットＳ２を形成している。また、ハンドル１３は、２分割された漏斗部１１から外向きに突出するように形成されている。漏斗１０を構成する２分割された部材を、例えばハンドル１３の部分を溶接することによって結合してもよいし、あるいは、２分割された直管部１２を、樹脂チューブなどの弾性部材１７によって結合してもよい。
【００２６】
それぞれ患部に注入される骨材の粒径に応じて、直管部１２の内径が異なる複数種類の漏斗１０が用意されており、また、それに応じて、スティック部２１の外径が異なる複数種類の押出棒２０が用意されている。骨材の大きさは、大きくても直径７ｍｍ程度であり、形状及び大きさは不揃いであるので、直管部１２の内径としては、例えばφ２．５ｍｍ（外径φ４ｍｍ）、φ４．５ｍｍ（外径φ６ｍｍ）、φ６．５ｍｍ（外径８ｍｍ）などを用意すればよい。また、漏斗１０の直管部１２の長さは１００〜２００ｍｍ程度であり、直管部１２の外周部に、患部への差し込み深さの目安として、例えば先端から１０ｍｍ、２０ｍｍ、３０ｍｍ、４０ｍｍ，５０ｍｍ、６０ｍｍ・・・の位置にマーキングを設けてもよい。
【００２７】
なお、上記漏斗１０の材質は、ステンレス鋼やチタン合金などの金属の他、ＡＢＳ、ポリカーボネイト、ポリエチレンテレフタレートなどの樹脂であってもよい。また、押出棒２０の材質も、ステンレス鋼やチタン合金などの金属の他、ハンマー部２３を除いて、ＡＢＳ、ポリカーボネイト、ポリエチレンテレフタレートなどの樹脂であってもよい。また、骨材には、粉末状又は顆粒状の人工骨材や移植骨（患者自身の骨や他人の骨）が含まれることは言うまでもない。さらに、上記漏斗１０からハンドル１３を省略してもよい。
【符号の説明】
【００２８】
１０  漏斗
１１  漏斗部
１１ａ  大径開口
１１ｂ  下端開口
１２  直管部
１３  ハンドル
１４  骨材注入部
１５  予備骨材収納部
１６  仕切り
１７  弾性部材
２０  押出棒
２１  スティック部
２２  摺動軸
２３  ハンマー部
２４  前側ストッパー
２５  後側ストッパー
【図１】
2018102525.tif 000003
【図２】
2018102525.tif 000004
【図３】
2018102525.tif 000005
【図４】
2018102525.tif 000006
【図５】
2018102525.tif 000007